【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
先端部から煙を放出する発煙体を備えた加煙試験器具において、
前記発煙体は、先端に煙の放出口を有する筒体と、該筒体内に配置されたヒータと、該ヒータの熱により気化する水溶性液体を保持しかつ該水溶性液体を前記ヒータに供給する液体供給部とを備え、
前記発煙体には、前記筒体内に空気を送り、前記ヒータにより気化した前記水溶性液体を霧化して擬似煙とし、該擬似煙を前記放出口から放出させる送風手段が連結されていることを特徴とする加煙試験器具。
【請求項２】
請求項１に記載の加煙試験器具おいて、
前記ヒータは、前記筒体の基端と先端との間に配された導電性を有する金属線により形成され、
該金属線に沿って前記液体供給部が配置されていることを特徴とする加煙試験器具。
【請求項３】
請求項１に記載の加煙試験器具において、
前記ヒータは、棒状体又は板状の導電性部材により形成され、
このヒータに沿って前記液体供給部が配置されていることを特徴とする加煙試験器具。
【請求項４】
請求項１から３のいずれか１項に記載の加煙試験器具において、
前記発煙体は、前記加煙部に着脱自在に設けられていることを特徴とする加煙試験器具。
【請求項５】
請求項１から４のいずれか１項に記載の加煙試験器具において、
前記液体供給部が前記筒体から着脱自在とされていることを特徴とする加煙試験器具。
【請求項６】
請求項１から５のいずれか１項に記載の加煙試験器具において、
前記水溶性液体は、前記発煙体に着脱自在に設けられた液体保持容器に貯留され、該液体保持容器から前記液体供給部に前記水溶性液体が供給されることを特徴とする加煙試験器具。
【請求項７】
請求項１から６のいずれか１項に記載の加煙試験器具において、
前記ヒータへの通電をＯＮ／ＯＦＦする切換えスイッチと、
放出された煙を除去するファンを備えていることを特徴とする加煙試験器具。
【請求項８】
請求項１から７のいずれか１項に記載の加煙試験器具において、
前記送風手段からの気流を検知する気流センサが設けられ、
該気流センサが検知した前記気流の大きさによって前記ヒータに供給する電流を制御可能に構成し、前記ヒータの加熱量を調整可能としたことを特徴とする加煙試験器具。
【請求項９】
請求項１から８のいずれか１項に記載の加煙試験器具において、
前記水溶性液体は、プロピレングリコール、グリセリン、ジプロピレングリコール、トリプロピレングリコール又はグリコールのうち少なくとも一の成分を含むものであることを特徴とする加煙試験器具。
【手続補正２】
【補正対象書類名】明細書
【補正対象項目名】０００６
【補正方法】変更
【補正の内容】
【０００６】
請求項１の発明は、先端部から煙を放出する発煙体を備えた加煙試験器具において、前記発煙体は、先端に煙の放出口を有する筒体と、該筒体内に配置されたヒータと、該ヒータの熱により気化する水溶性液体を保持しかつ該水溶性液体を前記ヒータに供給する液体供給部とを備え、前記発煙体には、前記筒体内に空気を送り、前記ヒータにより気化した前記水溶性液体を霧化して擬似煙とし、該擬似煙を前記放出口から放出させる送風手段が連結されていることを特徴とする。
本発明では、水溶性液体を霧化した擬似煙を発生させるものであるため、煙感知器や天井面に付着して汚したり、更に塵埃類を付着させたりすることを回避することができる。
また、安価な成分の水溶性液体及び安価な部材により発煙体を製造することができるため、加煙試験器具の製造コストを抑えることができる。
請求項２の発明は、請求項１に記載の加煙試験器具おいて、前記ヒータは、前記筒体の基端と先端との間に配された導電性を有する金属線により形成され、該金属線に沿って前記液体供給部が配置されていることを特徴とする。
本発明では、筒体の基端と先端との間に配された金属線よりなるヒータに沿って液体供給部が配置されているため、ヒータ全体で効率的に水溶性液体を加熱することができ、また、液体供給部の設定に応じて少量から多量の煙まで自在に発生させることができる。
請求項３の発明は、請求項１に記載の加煙試験器具おいて、前記ヒータは、棒状体又は板状の導電性部材により形成され、このヒータの表面に沿って前記液体供給部が配置されていることを特徴とする加煙試験器具。
本発明では、ヒータが棒状体又は板状の導電性部材により形成され、このヒータの表面に沿って液体供給部が配置されているため、ヒータ全体で効率的に水溶性液体を加熱することができ、また、液体供給部の設定に応じて少量から多量の煙まで自在に発生させることができる。
請求項４の発明は、請求項１から３のいずれか１項に記載の加煙試験器具において、前記発煙体は、前記加煙部に着脱自在に設けられていることを特徴とする。
本発明では、発煙体が加煙部から着脱自在となっているため、液体供給部の量が不十分になったり、ヒータが消耗したりした際に発煙体ごと簡便に交換することができる。
請求項５の発明は、請求項１から４のいずれか１項に記載の加煙試験器具において、前記液体供給部が前記筒体から着脱自在とされていることを特徴とする。
本発明では、液体供給部のみを筒体から取り外して新たな液体供給部を取り付けることができる。
請求項６の発明は、請求項１から５のいずれか１項に記載の加煙試験器具において、前記水溶性液体は、前記発煙体に着脱自在に設けられた液体保持容器に貯留され、該液体保持容器から前記液体供給部に前記水溶性液体が供給されることを特徴とする。
本発明では、液体保持容器から液体供給部に水溶性液体が供給されるようになっているため、加煙試験器具の液体供給部ないし筒体の交換頻度を抑えることができる。
請求項７の発明は、請求項１から６のいずれか１項に記載の加煙試験器具において、前記ヒータへの通電をＯＮ／ＯＦＦする切換えスイッチと、放出された煙を除去するファンを備えていることを特徴とする。
本発明では、煙感知器の動作試験を行う際にはヒータへの通電をＯＮにして煙を発生させ、動作試験が完了した際には、ヒータへの通電をＯＦＦにしてファンを駆動することにより、放出された煙を除去することができる。
請求項８の発明は、請求項１から７のいずれか１項に記載の加煙試験器具において、前記送風手段からの気流を検知する気流センサが設けられ、該気流センサが検知した前記気流の大きさによって前記ヒータに供給する電流を制御可能に構成し、前記ヒータの加熱量を調整可能としたことを特徴とする。
本発明では、気流センサを設けて、気流の検知に応じてヒータの加熱／加熱停止を制御することができ、また、気流の変化や強弱に応じてヒータへの供給電流値を連続的或いは段階的に可変することができる。その結果、気流が無い（弱い）にも関わらずヒータが加熱されて温度が異常に上昇することを回避することができる。
請求項９の発明は、請求項１から８のいずれか１項に記載の加煙試験器具において、前記水溶性液体が、プロピレングリコール、グリセリン、ジプロピレングリコール、トリプロピレングリコール又はグリコールのうち少なくとも一の成分を含むものであることを特徴とする。
本発明では、水溶性液体がプロピレングリコール、グリセリン、ジプロピレングリコール、トリプロピレングリコール又はグリコールの少なくともいずれかを含んでいるため、親水性を有するとともに保水性が高いこれらの成分がヒータにより水と共に蒸発し、噴出口にてこれらの成分が核となって霧化する。これらの成分は、保水性が高いことから、水のみが蒸発する場合と異なり、空気中で暫く漂い擬似煙としての役割を良好に果たすことができる。